【事件の表示】
　特願２００８−１５８８２０「無線通信端末」拒絶査定不服審判事件〔平成２２年　１月　７日出願公開、特開２０１０−　　４１０２〕について、次のとおり審決する。
【結　論】
　本件審判の請求は、成り立たない。
【理　由】
１．手続の経緯と本願発明
　本件出願は，平成２０年６月１８日の出願であって，平成２４年８月１５日付け拒絶理由通知に対して同年１０月１９日付けで意見書と手続補正書が提出されたが，平成２５年４月１日付けで拒絶査定がなされ，これを不服として同年７月９日に拒絶査定不服の審判請求がなされたものであって，その請求項１に係る発明（以下、「本願発明」という。）は、平成２４年１０月１９日付け手続補正書の特許請求の範囲の請求項１に記載された以下のとおりのものと認める。
　
「直交周波数分割多重方式で送信されるキャリアのうち基本層のデータおよび拡張層のデータを含むサブキャリアがデータ信号を含んでおり、前記サブキャリアを復調する際に、前記キャリアのパイロット信号に基づいて前記データ信号を補正する等化部と、
　前記等化部で補正された前記基本層のデータおよび前記拡張層のデータのうち前記基本層のデータを処理する基本層データ処理部と、
　前記等化部で補正された前記基本層のデータおよび前記拡張層のデータのうち前記拡張層のデータを処理する拡張層データ処理部と、
　節電モードの場合、前記基本層データ処理部を駆動させると共に前記拡張層データ処理部を停止させ、非節電モードの場合、前記基本層データ処理部および前記拡張層データ処理部を駆動させる制御部と、
を備えたことを特徴とする無線通信端末。」
　
２．引用発明
　原査定の拒絶の理由に引用された国際公開第２００６／１０５４７１号（以下，「引用例」という。)には，「POWER SAVINGS IN HIERARCHICALLY CODED MODULATION」（当審仮訳：階層的にコード化された変調における電力節減）」に関し，図面とともに以下の事項が記載されている。
　
ア．「[0035] Figure 1 is a functional block diagram of an embodiment of a wireless communication system 100 incorporating hierarchical modulation and power savings in the user terminal. The system includes one or more fixed elements that can be in communication with a user terminal 110. The user terminal 110 can be, for example, a wireless telephone configured to operate according to one or more communication standards using hierarchical coded modulation.
　
　・・・（中略）・・・
　
[0039] The base stations 120a and 120b can be configured to transmit hierarchically coded signals to the user terminal 110. For example, the base stations 120a and 120b can be configured to transmit a multicast signal that can be directed to the user terminal 110 as well as other receivers (not shown). The hierarchical coded signals can include a base layer signal that is configured to be robust, and an enhancement layer signal that operates at a lower link margin, and as a result, that is more sensitive to variations in the channel. The enhancement layer can be configured to provide supplemental data to the data supplied on the base layer or provide independent data that has a lower quality of service requirement.
　
[0040] The wireless communication system 100 can also include a broadcast transmitter 180 that is configured to transmit a modulated hierarchically coded signal to the user terminal 110. In one embodiment, the broadcast transmitter 180 can be associated with the base stations 120a and 120b. In another embodiment, the broadcast transmitter 180 can be distinct from, and independent of, the wireless telephone system containing the base stations 120a and 120b. The broadcast transmitter 180 can be, but is not limited to, an audio transmitter, a video transmitter, a radio transmitter, a television transmitter, and the like or some combination of transmitters.
　
[0041] The broadcast transmitter 180 can be configured to receive data from a broadcast media source 182 and can be configured to hierarchically code the data, modulate a signal based on the hierarchically coded data, and broadcast the modulated hierarchically coded data to a service area where it can be received by the user terminal 110. The broadcast transmitter 180 can generate, for example, base layer data and enhancement layer data from data received from the broadcast media source 182.
（当審仮訳：
[0035]
　図１は、使用者の端末装置に階層的変調及び電力節減を統合した無線通信システム１００の実施形態の機能ブロック図である。システムは、使用者の端末装置１１０と通信することができる１つ以上の固定要素を含む。使用者の端末装置１１０は、例えば、階層的にコード化された変調を用いて１つ以上の通信標準に従って動作するように構成された無線電話であってもよい。
　
　・・・（中略）・・・
　
[0039]
　基地局（１２０ａ及び１２０ｂ）は、階層的にコード化された信号を使用者の端末装置１１０に伝送するように構成されている。例えば、基地局（１２０ａ及び１２０ｂ）は、他の受信機（図示せず）のみならず使用者の端末装置１１０に向けることができるマルチキャスト信号を伝送するように構成されている。階層的にコード化された信号は、強力に構成されたベース・レイヤー信号、低いリンクマージンで動作して、この結果としてチャネルでの変動により敏感なエンハンスメント・レイヤー信号を含むことができる。エンハンスメント・レイヤーは、ベース・レイヤーに供給されたデータに補充データを提供したり、低い品質のサービス要求を持つ独立データを提供するように構成されている。
　
[0040]
　また、無線通信システム１００は、変調された階層的コーディング信号を使用者の端末装置１１０に伝送するように構成される放送伝送器１８０を有する。一実施形態において、放送伝送器１８０は、基地局（１２０ａ及び１２０ｂ）と関連がある。他の実施形態において、放送伝送器１８０は、基地局（１２０ａ及び１２０ｂ）を含む無線電話システムと区別されて独立的であることができる。放送伝送器１８０は、これらに限定されるわけではなく、オーディオ伝送器、ビデオ伝送器、ラジオ伝送器、テレビジョン伝送器など、または、これらの伝送機の組み合わせである。
　
[0041]
　放送伝送器１８０は、放送メディアソース１８２からデータを受信するように構成されている。すなわち、データを段階的にコーディングし、階層的コーディングデータに基づいて信号を変調し、使用者の端末装置１１０により受信されることができるサービス領域に変調された階層的コードデータを放送するように構成されている。放送伝送器１８０は、例えば、放送メディアソース１８２から受信されたデータからのエンハンスメント・レイヤーのデータ及びベース・レイヤーのデータを生成する。）」（７頁２６行〜９頁１６行）
　
イ．「[0044] Figure 2A is a constellation diagram 200 of an embodiment of a hierarchical modulation implementation. As an example, the wireless communication system 100 of Figure 1 may implement hierarchical modulation in the manner shown in Figure 2A. The hierarchical modulation implementation can be referred to as Quadrature Phase Shift Keying (QPSK) on QPSK. The implementation includes a QPSK modulated base layer. Although a QPSK on QPSK hierarchical modulation implementation is illustrated in Figure 2A, the power saving apparatus and methods disclosed herein are not limited to any particular type of hierarchical modulation. For example, other hierarchical modulation embodiments may use 16-QAM over QPSK, or some other form of hierarchical modulation.
　
[0045] The QPSK base layer is defined by four constellation points 202a-202d. The enhancement layer is also QPSK modulated. However, the QPSK modulated enhancement layer occurs on top of the QPSK base layer constellation. The QPSK constellation for the enhancement layer includes four positions, but the constellation can be centered about any of the four constellation points 202a-202d of the base layer.
　
　・・・（中略）・・・
　
[0049] In yet another embodiment, the base and enhancement layer data can be mapped to a constellation symbol based on a predetermined map or algorithm. For example, the base layer data and enhancement layer data can each include two bits, such that the combination of the base layer and enhancement layer data is four bits The mapping operation can take the four bits and map them to a symbol from a predetermined constellation, such as a QAM constellation or a QPSK on QPSK constellation.
　
[0050] Figure 2B is a constellation diagram 260 of another embodiment of a hierarchical modulation implementation. The constellation diagram 260 of Figure 2B is a 16-QAM constellation in which the base layer data maps to a particular quadrant of the constellation, and the enhancement layer data maps to the particular position within the constellation. The 16-QAM constellation 260 does not need to be consistently spaced, but may be modified to have a consistent spacing within each quadrant and a distinct spacing between the nearest points within different quadrants. Furthermore, some of the points in the constellation may be mirrored with respect to a midpoint in the quadrant.
（当審仮訳：
[0044]
　図２Ａは、階層的変調の実現に係る実施形態の信号空間ダイヤグラム（コンスタレーション図：信号点配置図）２００である。この実施例において、図１の無線通信システム１００は、図２Ａに示された方式により階層的変調を実現することができる。階層的変調の実現は、四位相偏移変調（ＱＰＳＫ）上のＱＰＳＫ（ＱＰＳＫ  ｏｎ  ＱＰＳＫ）と呼ばれる。実現はＱＰＳＫ変調されたベース・レイヤーを有する。たとえ、ＱＰＳＫ上のＱＰＳＫ階層的変調の実現について図２Ａに示したが、本明細書に示される電力節減装置及び方法は、特定タイプの階層的変調に限定されない。例えば、他の階層的変調に係る実施形態は、ＱＰＳＫを介する１６−ＱＡＭ、または、他の形態の階層的変調を使用することも可能である。
　
[0045]
　ＱＰＳＫベース・レイヤーは、４個の信号ポイント（２０２ａ〜２０２ｄ）で定義される。エンハンスメント・レイヤーはまた、ＱＰＳＫ変調される。しかし、ＱＰＳＫ変調されたエンハンスメント・レイヤーは、ＱＰＳＫベース・レイヤーコンステレーション（ｃｏｎｓｔｅｌｌａｔｉｏｎ）の上部で発生する。エンハンスメント・レイヤーに対するＱＰＳＫコンステレーションは４個の位置を含むが、コンステレーションは、ベース・レイヤーの４個の信号ポイント（２０２ａ〜２０２ｄ）のうちのどこの周辺にも中心を持つことができる。
　
　・・・（中略）・・・
　
[0049]
　他の実施形態において、基礎及びエンハンスメント・レイヤーのデータは、所定のマップまたはアルゴリズムに基づいてコンステレーションシンボルにマッピングすることができる。例えば、ベース・レイヤーのデータ及びエンハンスメント・レイヤーのデータは、それぞれ２ビットを有し、ベース・レイヤーとエンハンスメント・レイヤーのデータの組合が４ビットになるようにする。マッピング動作は、４ビットを取り、これをＱＡＭコンステレーションまたはＱＰＳＫ上のＱＰＳＫコンステレーションのような所定のコンステレーションからシンボルへマッピングすることができる。
　
[0050]
　図２Ｂは、階層的変調の実行に係る他の実施形態のコンステレーション図２６０である。図２Ｂのコンステレーション図２６０は、ベース・レイヤーのデータがコンステレーションの特定の象限にマッピングする１６−ＱＡＭコンステレーションであり、エンハンスメント・レイヤーのデータがこのコンステレーション内の特定の位置にマッピングされる１６−ＱＡＭコンステレーションである。１６−ＱＡＭコンステレーション２６０は一定の間隔を有する必要はないが、各象限内では一定の間隔を有し、他の象限内の最も近い点の間に異なる間隔を有するように修正されることもできる。また、コンステレーションにおける一部の点は、象限の中間点に対してミラリングされることもできる。）」（１０頁１行〜１１頁２３行）
　
ウ．「[0057] Figure 3 is a functional block diagram of an embodiment of a transmitter 300 configured for a hierarchical coded modulation system. The transmitter 300 of Figure 3 is configured for QPSK on QPSK hierarchical modulation in an Orthogonal Frequency Division Multiple Access (OFDMA) or Orthogonal Frequency Division Multiplex (OFDM) system. However, the transmitter 300 embodiment represents an embodiment and not a limitation on the disclosed power saving apparatus and methods. For example, a single carrier system can be modulated with hierarchically coded data.
（当審仮訳：
[0057]
　図３は、階層的にコード化された変調システムに対して構成された伝送器３００に係る実施形態の機能ブロック図である。図３の伝送器３００は、直交周波数分割多重アクセス（ＯＦＤＭＡ）または直交周波数分割多元化（ＯＦＤＭ）システムにおけるＱＰＳＫ上のＱＰＳＫ階層的変調に対して構成される。しかし、伝送器３００の実施形態は、本明細書に開示された電力節減装置及び方法に係る実施形態であり、これに制限されない。例えば、単一のキャリアーシステムが、階層的にコード化されたデータで変調されることができる。）」（１３頁５〜１１行）
　
エ．「[0064] Figure 4 is a functional block diagram of an embodiment of a receiver 400 configured for power savings in a hierarchically coded modulation communication system. The receiver 400 can be implemented, for example, in a user terminal operating in the wireless communication system of Figure 1.
　
[0065] The receiver 400 includes a receiver module 410 configured to receive the hierarchically coded signals over, for example, a wireless link. The receiver module 410 can be configured to filter, amplify, and frequency convert the received signals. The output of the receiver module 410 can be, for example, a baseband signal.
　
[0066] The output of the receiver module 410 can be coupled to a demodulator 420 that can be configured to demodulate the received signals to generate the hierarchically coded symbols. The output of the demodulator 420 can be coupled to an input of a hierarchical decoder module 430. The input to the hierarchical decoder module 430 couples the hierarchically coded symbols to both a base layer decoder 440 and selectively to an enhancement layer decoder 450 through a switch 460.
　
[0067] The base layer decoder 440 can be configured to decode the received symbols to determine the received base layer data from the demodulated symbols. The base layer decoder 440 is coupled to a signal quality module 442 that is configured to monitor the base layer decoding process and determine a probability of successful enhancement layer decoding.
　
　・・・（中略）・・・
　
[0071] The signal quality module 442 may inhibit the enhancement layer decoder 450 to conserve the power that would be expended by the enhancement layer decoder 450 in decoding the received symbols. The signal quality module 442 may also de-energize one or more portions of the enhancement layer decoder 450. The signal quality module 442 can, for example, control a switch that couples the power supply voltage or a supply current to the enhancement layer decoder 450. Alternatively, or in addition, the signal quality module 442 can selectively couple or inhibit a clock signal (not shown) that controls the operation of the enhancement layer decoder 450. The clock signal for the enhancement layer decoder can be, for example, logically AND with an enable signal from the signal quality module 442. In circuits implemented in CMOS, the absence of a clock signal substantially eliminates power consumption by the circuit. Other inhibiting techniques can be used to conserve power when the enhancement layer decoder 450 is inhibited.
　
[0072] If the signal quality module 442 determines that the probability of successful enhancement layer decoding is sufficiently great, the signal quality module 442 can enable the enhancement layer decoder 450 and can control the switch 460 to selectively couple the input signal to the enhancement layer decoder 450.
　
[0073] The enhancement layer decoder 450 can operate on the output of the demodulator 420 and can decode the hierarchically coded symbols to recover the enhancement layer data. The output of the base layer decoder 440 and the enhancement layer decoder 450 can be coupled to a combiner 470 that is configured to output only the output from the base layer decoder 440 when operation of the enhancement layer decoder 450 is inhibited. If data is output from both the base layer decode and the enhancement layer decoder 450, the combiner 470 can be configured to output both recovered data streams. For example, the combiner 470 can be configured to output the base layer and enhancement layer data in parallel, or can be configured to output the data serially according to a predetermined interlacing process.
（当審仮訳：
[0064]
　図４は、階層的にコード化された変調通信システムの電力節減のために構成された受信機４００に係る実施形態の機能ブロック図である。受信機４００は、例えば、図１の無線通信システムで動作する使用者の端末装置で実行されることができる。
　
[0065]
　受信機４００は、例えば、無線リンクを介して階層的にコード化された信号を受信するように構成された受信機モジュール４１０を具備する。受信機モジュール４１０は、受信された信号をフィルタリング、増幅、及び周波数変換するように構成されている。受信機モジュール４１０の出力は、例えば、ベースバンド信号であってもよい。
　
[0066]
　受信機モジュール４１０の出力は、受信された信号を復調して階層的にコード化されたシンボルを生成するように構成されている復調器４２０に接続されている。復調器４２０の出力は、階層的デコーダモジュール４３０の入力に接続されることができる。階層的デコーダモジュール４３０に対する入力は、階層的コード化されたシンボルを、ベース・レイヤーのデコーダ４４０及び選択的にエンハンスメント・レイヤーのデコーダ４５０の両者にスイッチ４６０を介して接続する。
　
[0067]
　ベース・レイヤーのデコーダ４４０は、受信されたシンボルをデコードして復調シンボルから受信されたベース・レイヤーのデータを決定するように構成されている。このベース・レイヤーのデコーダ４４０は、ベース・レイヤーのデコーディングプロセスをモニターリングし、成功的なエンハンスメント・レイヤーのデコーディングの確率を決定するように構成された信号品質モジュール４４２に接続される。
　
　・・・（中略）・・・
　
[0071]
　信号品質モジュール４４２は、受信されたシンボルをデコードするにあたって、エンハンスメント・レイヤーのデコーダ４５０により消費される電力を保存するために、エンハ
ンスメント・レイヤーのデコーダ４５０を抑制することもできる。信号品質モジュール４４２はまた、エンハンスメント・レイヤーのデコーダ４５０の１つ以上の部分を電力遮断することもできる。信号品質モジュール４４２は、例えば、電力供給電圧または供給電流をエンハンスメント・レイヤーのデコーダ４５０に接続するスイッチを制御することができる。他の方法として、または付加的に、信号品質モジュール４４２は、エンハンスメント・レイヤーのデコーダ４５０の動作を制御するクロック信号（図示せず）を選択的に接続し、或いは、抑制することができる。エンハンスメント・レイヤーのデコーダに対するクロック信号は、例えば、信号品質モジュール４４２からのイネーブル信号を有する論理ＡＮＤであってもよい。ＣＭＯＳで実現される回路において、クロック信号が無い場合は、回路による電力消費が実質的に除去される。エンハンスメント・レイヤーのデコーダ４５０が抑制されるとき、電力を保存するために他の抑制手法を使用してもよい。
　
[0072]
　エンハンスメント・レイヤーのデコーディングが成功的である確率が充分大きいと信号品質モジュール４４２が決定すれば、信号品質モジュール４４２は、エンハンスメント・レイヤーのデコーダ４５０をイネーブルし、スイッチ４６０を制御して入力信号をエンハンスメント・レイヤーのデコーダ４５０に選択的に接続することができる。
　
[0073]
　エンハンスメント・レイヤーのデコーダ４５０は、復調器４２０の出力に対して動作し、階層的にコード化されたシンボルをデコードしてエンハンスメント・レイヤーのデータを回復することができる。ベース・レイヤーのデコーダ４４０及びエンハンスメント・レイヤーのデコーダ４５０の出力は、エンハンスメント・レイヤーのデコーダ４５０の動作が抑制されるとき、ベース・レイヤーのデコーダ４４０からの出力のみを出力するように構成される結合器４７０に接続される。データがベース・レイヤーのデコーダ及びエンハンスメント・レイヤーのデコーダ４５０の両者すべてから出力される場合、結合器４７０は、両者の回復されたデータストリームを出力するように構成されている。例えば、結合器４７０は、ベース・レイヤー及びエンハンスメント・レイヤーのデータを並列に出力するように構成され、あるいは、所定のインターレーシング処理により該データを直列に出力するように構成されている。）」（１４頁２２行〜１７頁１２行）
　
オ．「[0077] Figure 5 is another functional block diagram of a receiver 500 configured for power savings in a hierarchically coded modulation communication system. The receiver 500 embodiment of Figure 5 can be used, for example, with the transmitter embodiment shown in Figure 3.
 
[0078] The receiver 500 includes a receiver module 410 that receives the hierarchically modulated signals and converts the signals to baseband signals. The output of the receiver module 410 can be coupled to a serial to parallel converter 510 that is configured to convert a serial OFDM symbol stream to parallel streams. The output of the serial to parallel converter 510 is coupled to a transform module, which can be a Fast Fourier Transform (FFT) module 520 configured to transform the parallel OFDM symbols into the respective orthogonal sub-carriers of the frequency domain.
 
[0079] The output of the FFT module 520 can be couple to a parallel to serial converter 530 that converts the parallel frequency components, or only those frequency component that map to the particular receiver 500, to a demodulator 420. The demodulator 420 operates to demodulate the received symbols and couples the symbols to the hierarchical decoder module 430, that operates as described in Figure 4.
 
[0080] As discussed previously, the received signals can be encoded according to any one of a variety of encoding processes. Each of the encoding processes has a corresponding decoder process that is implemented in the base layer or enhancement layer decoders.
（当審仮訳：
[0077]
　図５は、階層的にコード化された変調通信システムにおける電力節減のために構成された受信機５００の他の機能ブロック図である。図５の受信機５００の実施形態は、例えば、図３に示された伝送器の実施形態とともに使用することができる。
　
[0078]
　受信機５００は、階層的に変調された信号を受信し、該信号をベースバンド信号に変換する受信機モジュール４１０を具備する。受信機モジュール４１０の出力は、直列ＯＦＤＭシンボルストリームを並列ストリームに変換するように構成された直列−並列変換器５１０に接続される。直列−並列変換器５１０の出力は、並列ＯＦＤＭシンボルを周波数領域のそれぞれの直交サブキャリアーに変換するように構成された高速フーリエ変換ＦＦＴモジュール５２０であり得る変換モジュールに接続される。
　
[0079]
　ＦＦＴモジュール５２０の出力は、並列周波数成分または特定受信機５００へマッピングする周波数成分のみを復調器４２０で変換する並列−直列変換器５３０に接続される。復調器４２０は、受信されたシンボルを復調するように動作し、図４に示されているように、動作する階層的デコーダモジュール４３０にシンボルを接続する。
　
[0080]
　既に述べたように、受信された信号は、様々なエンコードプロセスのうちのどれによってもエンコーディング可能である。それぞれのエンコードプロセスは、ベース・レイヤーまたはエンハンスメント・レイヤーエンコーダで実行される対応するデコーダプロセスを有する。）」（１８頁７〜２６行）
　
　上記引用例の記載及び図面並びにこの分野における技術常識を考慮すると，
ａ．上記引用例の「端末装置１１０」は，「階層的にコード化された信号」を受信し，該「階層的にコード化された信号」は、「強力に構成されたベース・レイヤー信号、低いリンクマージンで動作して、この結果としてチャネルでの変動により敏感なエンハンスメント・レイヤー信号を含むことができる」（摘記事項アの[0039]）ものである。
　また，上記「階層的にコード化された信号」は直交周波数分割多元化（ＯＦＤＭ）方式で送信されるが（摘記事項ウの[0057]），該ＯＦＤＭ方式において，データ信号が「サブキャリア」で送信されることは技術常識である。
　したがって，引用例記載の端末装置１１０が受信する信号について，
　「直交周波数分割多元化（ＯＦＤＭ）方式で送信されるキャリアのうちベース・レイヤーのデータおよびエンハンスメント・レイヤーのデータを含むサブキャリアがデータ信号を含んでおり」
　と言える。
ｂ．上記端末装置１１０である受信機４００は，ベース・レイヤー・デコーダ４４０とエンハンスメント・レイヤー・デコーダ４５０を備えるが（摘記事項エの[0066]），「ベース・レイヤーのデコーダ４４０は、受信されたシンボルをデコードして復調シンボルから受信されたベース・レイヤーのデータを決定するように構成されている。」（摘記事項エの[0071]），「エンハンスメント・レイヤーのデコーダ４５０は、復調器４２０の出力に対して動作し、階層的にコード化されたシンボルをデコードしてエンハンスメント・レイヤーのデータを回復することができる。」（摘記事項エの[0073]）の記載や【図４】，【図５】およびこれらの図に関連する記載によれば，上記端末装置１１０は，
　「前記ベース・レイヤーのデータおよび前記エンハンスメント・レイヤーのデータのうち前記ベース・レイヤーのデータを処理するベース・レイヤー・デコーダと、
　前記ベース・レイヤーのデータおよび前記エンハンスメント・レイヤーのデータのうち前記エンハンスメント・レイヤーのデータを処理するエンハンスメント・レイヤー・デコーダと」
　を含んでいる。
ｃ．上記「ベース・レイヤー・デコーダ」は，「ベース・レイヤーのデコーディングプロセスをモニターリングし、成功的なエンハンスメント・レイヤーのデコーディングの確率を決定するように構成された信号品質モジュール４４２に接続される。」（摘記事項エの[0067]）が，該「信号品質モジュール４４２」について，「受信されたシンボルをデコードするにあたって、エンハンスメント・レイヤーのデコーダ４５０により消費される電力を保存するために、エンハンスメント・レイヤーのデコーダ４５０を抑制することもできる。信号品質モジュール４４２はまた、エンハンスメント・レイヤーのデコーダ４５０の１つ以上の部分を電力遮断することもできる。信号品質モジュール４４２は、例えば、電力供給電圧または供給電流をエンハンスメント・レイヤーのデコーダ４５０に接続するスイッチを制御することができる。」（摘記事項エの[0071]），「エンハンスメント・レイヤーのデコーディングが成功的である確率が充分大きいと信号品質モジュール４４２が決定すれば、信号品質モジュール４４２は、エンハンスメント・レイヤーのデコーダ４５０をイネーブルし、スイッチ４６０を制御して入力信号をエンハンスメント・レイヤーのデコーダ４５０に選択的に接続することができる。」（摘記事項エの[0072]）等の記載によれば，
　「エンハンスメント・レイヤーのデコーディングが成功的である確率が充分大きくない場合、前記エンハンスメント・レイヤー・デコーダを停止させ、上記確率が充分大きい場合、前記エンハンスメント・レイヤー・デコーダを駆動させるよう制御する信号品質モジュール」
　と言える。
　
　以上を総合すると，上記引用例には，以下の発明（以下，「引用発明」という。）が開示されていると認める。
　
「直交周波数分割多元化（ＯＦＤＭ）方式で送信されるキャリアのうちベース・レイヤーのデータおよびエンハンスメント・レイヤーのデータを含むサブキャリアがデータ信号を含んでおり、
　前記ベース・レイヤーのデータおよび前記エンハンスメント・レイヤーのデータのうち前記ベース・レイヤーのデータを処理するベース・レイヤー・デコーダと、
　前記ベース・レイヤーのデータおよび前記エンハンスメント・レイヤーのデータのうち前記エンハンスメント・レイヤーのデータを処理するエンハンスメント・レイヤー・デコーダと、
　エンハンスメント・レイヤーのデコーディングが成功的である確率が充分大きくない場合、前記エンハンスメント・レイヤー・デコーダを停止させ、上記確率が充分大きい場合、前記エンハンスメント・レイヤー・デコーダを駆動させるよう制御する信号品質モジュールと、
を備えた端末装置。」
　
３．対比
　本願発明と引用発明とを対比するに，
ａ．引用発明の「直交周波数分割多元化（ＯＦＤＭ）方式」は，本願発明の「直交周波数分割多重方式」と同義である。
ｂ．引用発明の「ベース・レイヤーのデータ」，「エンハンスメント・レイヤーのデータ」に関し，「階層的にコード化された信号は、強力に構成されたベース・レイヤー信号、低いリンクマージンで動作して、この結果としてチャネルでの変動により敏感なエンハンスメント・レイヤー信号を含むことができる。」（摘記事項アの[0039]），「例えば、ベース・レイヤーのデータ及びエンハンスメント・レイヤーのデータは、それぞれ２ビットを有し、ベース・レイヤーとエンハンスメント・レイヤーのデータの組合が４ビットになるようにする。マッピング動作は、４ビットを取り、これをＱＡＭコンステレーションまたはＱＰＳＫ上のＱＰＳＫコンステレーションのような所定のコンステレーションからシンボルへマッピングすることができる。」（摘記事項イの[0049]）等の記載によれば，「ベース・レイヤーのデータ」は，シンボルにマッピングされる４ビットデータの上位２ビットであって伝送誤りに強いデータであり，「エンハンスメント・レイヤーのデータ」は，シンボルにマッピングされる４ビットデータの下位２ビットであって伝送誤りに弱いデータであると認められるから，それぞれ，本願発明の「基本層データ」，「拡張層データ」に相当する。
ｃ．引用発明の「ベース・レイヤー・デコーダ」，「エンハンスメント・レイヤー・デコーダ」は，それぞれ，本願発明の「基本層データ処理部」，「拡張層データ処理部」に含まれる。
ｄ．引用発明の「エンハンスメント・レイヤーのデコーディングが成功的である確率が充分大きくない場合」と「節電モードの場合」とは，「所定の場合」の点で共通する。また，引用発明の「上記確率が充分大きい場合」と本願発明の「非節電モードの場合」とは，「それ以外の場合」の点で共通する。
ｅ．引用発明の「信号品質モジュール」は，「エンハンスメント・レイヤー・デコーダ」の「停止」や「駆動」を「制御」しているから「制御部」と言い得るものであって，本願発明の「制御部」とは「所定の場合」に「拡張層データ処理部を停止させ」，「それ以外の場合」に「拡張層データ処理部を駆動させ」る点、で共通する。
ｆ．引用発明の「端末装置」は「無線通信システム１００」で用いられるものであるから，「無線通信端末」であることは自明である。
　
　従って，両者は以下の点で一致ないし相違している。
　
（一致点）
「直交周波数分割多重方式で送信されるキャリアのうち基本層のデータおよび拡張層のデータを含むサブキャリアがデータ信号を含んでおり、
　前記基本層のデータおよび前記拡張層のデータのうち前記基本層のデータを処理する基本層データ処理部と、
　前記基本層のデータおよび前記拡張層のデータのうち前記拡張層のデータを処理する拡張層データ処理部と、
　所定の場合、前記拡張層データ処理部を停止させ、それ以外の場合、前記拡張層データ処理部を駆動させる制御部と、
を備えた無線通信端末。」
　
（相違点１）
　本願発明が「前記サブキャリアを復調する際に、前記キャリアのパイロット信号に基づいて前記データ信号を補正する等化部」を備え，基本層のデータおよび拡張層のデータが「前記等化部で補正された」ものであるのに対し，
　引用発明ではそのような等化部の有無が不明である点。
　
（相違点２）
　「制御部」に関し，
　本願発明では「制御部」が，「節電モードの場合、前記基本層データ処理部を駆動させると共に前記拡張層データ処理部を停止させ、非節電モードの場合、前記基本層データ処理部および前記拡張層データ処理部を駆動させる」のに対し，
　引用発明では「制御部」が「信号品質モジュール」であって，「エンハンスメント・レイヤーのデコーディングが成功的である確率が充分大きくない場合、前記エンハンスメント・レイヤー・デコーダを停止させ、上記確率が充分大きい場合、前記エンハンスメント・レイヤー・デコーダを駆動させるよう制御する」点。
　
４．検討
　上記相違点につき検討する。
　
（相違点１）について
　一般に，ＯＦＤＭを使った無線通信システムの受信装置において，サブキャリアを復調する際に，キャリアのパイロット信号に基づいてデータ信号を補正する等化部を設けることは，原査定の拒絶の理由に引用された特開２００６−１４０９８７号公報（特に，【０００２】，【００１６】−【００２１】，【図１】）や特開２００３−２５８７６０号公報（特に，【００３０】−【００３５】，【図８】）等に記載されているように周知技術であり，同じくＯＦＤＭを使った無線通信システムの受信装置である引用発明においても，上記周知の等化部を設け，ベース・レイヤー・デコーダとエンハンスメント・レイヤー・デコーダに入力するデータを，等化部で補正されたものとすることは，当業者が容易に想到し得たものである。
　
（相違点２）について
　引用例に「信号品質モジュール４４２は、受信されたシンボルをデコードするにあたって、エンハンスメント・レイヤーのデコーダ４５０により消費される電力を保存するために、エンハンスメント・レイヤーのデコーダ４５０を抑制することもできる。」（摘記事項エの[0071]）とあるように，引用発明の信号品質モジュールが「エンハンスメント・レイヤーのデコーディングが成功的である確率が充分大きくない場合」に行う「エンハンスメント・レイヤー・デコーダを停止させ」る制御は「節電」を目的とするものであることが明らかであることから，これを「節電モード」と称し，また，「上記確率が充分大きい場合、前記エンハンスメント・レイヤー・デコーダを駆動させるよう」にする制御を「非節電モード」と称することは当業者が適宜なし得たことである。
　また，引用発明において，ベース・レイヤー・デコーダは常時駆動されていると認められるが，その駆動等の制御を司る「制御部」が備わっていることは自明であり，エンハンスメント・レイヤー・デコーダの駆動や停止を行う「信号品質モジュール」もそのような「制御部」の一部とみることができる。そうすると，引用発明において，「ベース・レイヤー・デコーダ」の駆動ならびに「エンハンスメント・レイヤー・デコーダ」の駆動および停止は該「制御部」が行うものと言える。
　以上の検討によれば，上記（相違点２）は本願発明と引用発明との間の実質的な相違とすることはできない。
　
　そして，本願発明が奏する効果も引用発明及び周知技術に基づき到達した構成から容易に予測できる範囲内のものである。
　
５．むすび
　以上のとおり，本願発明は，上記引用発明及び周知技術に基づいて，当業者が容易に発明をすることができたものであるから，特許法第２９条第２項の規定により特許を受けることができない。
　
　よって，結論のとおり審決する。